【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
ホスト装置のために意図されたインターフェース手段を包含するレシービング・ステーション（１０）であって、前記インターフェース手段に接続されたホスト装置の検出手段（２４，３４）、および前記検出手段（２４，３４）によってコントロールされる、前記レシービング・ステーションおよび／または接続されたホスト装置のリソースの組み合わせ使用モードを自動的に選択する手段（３０）を特徴とするレシービング・ステーション。
【請求項２】
前記インターフェース手段は、第１のホスト装置アイテムのために意図された第１のポート（２０）、および少なくとも１つの第２のホスト装置アイテムのために意図された少なくとも１つの第２の接続ポート（２２）を包含する、請求項１に記載のレシービング・ステーション。
【請求項３】
前記ホスト装置の検出手段は、前記インターフェース手段に接続されたホスト装置のリソースを識別する手段（３４）を包含し、前記選択手段は、前記識別されたリソースに従って組み合わせ使用モードを自動的に選択するべく前記検出手段によってコントロールされる、請求項１に記載のステーション。
【請求項４】
第１のホスト装置アイテムのために意図された第１のポート（２０）および少なくとも１つの第２のホスト装置アイテムのために意図された少なくとも１つの第２の接続ポート（２２）を包含する無線レシービング・ステーション（１０）によってマルチメディア装置のリソースを管理する方法であって、前記ポートに接続されたホスト装置のリソースの目録を作成するステップと、前記目録が作成されたリソースに従って前記レシービング・ステーションおよび／または接続されたホスト装置のリソースの組み合わせ使用モードを自動的に選択するステップと、を包含することを特徴とする方法。
【請求項５】
前記レシービング・ステーションのオペレーティング・ソフトウエア・フレームワークと互換性のないホスト装置を自動検出し、前記レシービング・ステーションに対する前記ホスト装置を受け入れるためのソフトウエア・データのダウンロードを自動的に開始するステップも包含する、請求項４に記載の方法。
【手続補正２】
【補正対象書類名】明細書
【補正対象項目名】００７３
【補正方法】変更
【補正の内容】
【００７３】
矢印１１３は、ユーザによる選択の入力のための待機を示している。代替として、設定時間内にユーザがボタンを作動しないときは、提案済みのオプションのうちの選択をデフォルトにより保持することが可能である。なお、以下に、付記として本発明の構成の例を示す。
（付記１）
ホスト装置のために意図されたインターフェース手段を包含するレシービング・ステーション（１０）であって、前記インターフェース手段に接続されたホスト装置の検出手段（２４，３４）、および前記検出手段（２４，３４）によってコントロールされる、前記レシービング・ステーションおよび／または接続されたホスト装置のリソースの組み合わせ使用モードを自動的に選択する手段（３０）を特徴とするレシービング・ステーション。
（付記２）
前記インターフェース手段は、第１のホスト装置アイテムのために意図された第１のポート（２０）、および少なくとも１つの第２のホスト装置アイテムのために意図された少なくとも１つの第２の接続ポート（２２）を包含する、付記１に記載のレシービング・ステーション。
（付記３）
前記ポートは機能の設定専用であり、前記選択手段は、前記ポートの占有状態に従って組み合わせ使用モードを自動的に選択するべく前記検出手段によってコントロールされる、付記２に記載のステーション。
（付記４）
前記ホスト装置の検出手段は、前記インターフェース手段に接続されたホスト装置のリソースを識別する手段（３４）を包含し、前記選択手段は、前記識別されたリソースに従って組み合わせ使用モードを自動的に選択するべく前記検出手段によってコントロールされる、付記１に記載のステーション。
（付記５）
多目的ボタンであって、前記ポートの前記占有状態に依存して選択機能を前記ボタンに割り当てるべく前記選択手段によって自動的にコントロールされる多目的ボタン（１４）を包含する、付記３に記載のレシービング・ステーション。
（付記６）
多目的ボタンであって、前記識別されたリソースに依存して選択機能を前記ボタンに割り当てるべく前記選択手段によって自動的にコントロールされる多目的ボタン（１４）を包含する、付記４に記載のレシービング・ステーション。
（付記７）
前記選択手段は、前記インターフェース手段に接続された前記ホスト装置間におけるデータ交換を、選択された使用モードに従ってコントロールするコントロール・ユニット（３０）を包含する、付記１に記載のレシービング・ステーション。
（付記８）
前記コントロール・ユニット（３０）は、前記インターフェース手段（２０，２２）にリンクされており、前記インターフェース手段を通じてデータ交換を生じさせる、付記７に記載のステーション。
（付記９）
前記インターフェース手段は、ローカル無線通信インターフェースを包含し、前記コントロール・ユニット（３０）は、前記ローカル無線通信インターフェース（３２）にリンクされており、ローカル無線パスを介してデータ交換を引き起こす、付記７に記載のレシービング・ステーション。
（付記１０）
前記インターフェース手段は、携帯電話またはカメラ付き携帯電話等の無線通信手段が備えられたホスト装置と互換性のある少なくとも１つの物理的接続ポートを包含する、付記１に記載のレシービング・ステーション。
（付記１１）
前記インターフェース手段は、画像撮影手段が備えられたホスト装置と互換性のある少なくとも１つの物理的接続ポートを包含する、付記１に記載のレシービング・ステーション。
（付記１２）
前記インターフェース手段は、誘導結合を伴うポートを包含する、付記１に記載のレシービング・ステーション。
（付記１３）
第１のホスト装置アイテムのために意図された第１のポート（２０）および少なくとも１つの第２のホスト装置アイテムのために意図された少なくとも１つの第２の接続ポート（２２）を包含する無線レシービング・ステーション（１０）によってマルチメディア装置のリソースを管理する方法であって、前記ポートに接続されたホスト装置のリソースの目録を作成するステップと、前記目録が作成されたリソースに従って前記レシービング・ステーションおよび／または接続されたホスト装置のリソースの組み合わせ使用モードを自動的に選択するステップと、を包含することを特徴とする方法。
（付記１４）
前記目録を作成するステップは、前記接続ポートの占有状態の検出を包含する、付記１３に記載の方法。
（付記１５）
前記目録を作成するステップは、前記接続されたホスト装置のリソースの検出を包含する、付記１３に記載の方法。
（付記１６）
前記レシービング・ステーションのオペレーティング・ソフトウエア・フレームワークと互換性のないホスト装置を自動検出し、前記レシービング・ステーションに対する前記ホスト装置を受け入れるためのソフトウエア・データのダウンロードを自動的に開始するステップも包含する、付記１３に記載の方法。
（付記１７）
ＷＡＮ通信手段が備えられたホスト装置を使用することによって前記ダウンロードを開始することを包含する、付記１６に記載の方法。